(57)【特許請求の範囲】
【請求項１】
ハウジングの背面側に電源側の端子部、前面側に負荷側の端子部、そして上面に電路をオン／オフ操作する操作ハンドルを備え、前記電源側及び前記負荷側の端子部に端子カバーを装着することで端子部が閉塞されると共に、装着した前記端子カバーには前記ハウジングからの取り外し操作を禁止する封印部を備えた回路遮断器であって、
前記電源側の端子部及び負荷側の端子部は、左右方向に隣接配置された複数の端子を有して、隣接する端子間には前記ハウジングに一体形成された隔壁が立設されて成る一方、
前記端子カバーは、端子部の上方を覆う水平板と、前記ハウジングの端部で垂下する垂下片とを有して略Ｌ字状を成し、
前記封印部は、前記隔壁の位置で前記水平板と前記垂下片とに跨がって貫通形成された傾斜孔と、前記傾斜孔に連続するよう前記隔壁に形成された連通孔とを有して成り、
前記傾斜孔と前記連通孔の双方に封印線を連続挿通して前記端子部を封印することを特徴とする回路遮断器。
【請求項２】
前記隔壁は、上方に突出させた突起部を有して、当該突起部の下部に前記連通孔が形成され、
前記端子カバーの前記突起部に対応する部位には、前記突起部を露出させる開口部が形成されて成ることを特徴とする請求項１記載の回路遮断器。
【請求項３】
前記電源側の端子部及び負荷側の端子部は、少なくとも３端子が左右方向に隣接配置されて前記隔壁を少なくとも２つ有し、
前記封印部は１つの隔壁に設けられ、他の１つの隔壁には、装着した前記端子カバーを固定する係止部を具備して成ることを特徴とする請求項１又は２記載の回路遮断器。
【請求項４】
前記係止部は、内部に前記端子カバーを係止するための係止段部を備えた凹部であると共に、
前記端子カバーの水平板には、前記凹部に挿入した際に前記係止段部に係止する突起を備えた凸部が設けられ、
前記凸部がＵ字状に折り曲げ形成された弾性体であり、
前記弾性体の先端は、前記水平板から上方に露出して配置され、当該先端が前記係止部の係止解除操作を行う操作片であることを特徴とする請求項３記載の回路遮断器。
【発明の詳細な説明】
【技術分野】
【０００１】
本発明は回路遮断器に関し、特に回路遮断器の端子を覆う端子カバーの取り外しを不可とするために設けられた封印構造に関する。
【背景技術】
【０００２】
分電盤内に組み付けられた回路遮断器は、端子が端子カバーで覆われて、端子金具が露出しないよう構成されている。この端子カバーは感電の防止や塵の進入防止のために取り付けられるが、端子カバーに封印部を設けて取り外せないよう構成し、不正な回路操作が出来ないようにしたものがある。
例えば特許文献１では、回路遮断器本体に封印線を挿通する孔を備えた突起を設ける一方、端子カバーにも封印線を挿通する孔を備えた突起を設け、端子カバー装着時にそれら突起同士が密着するよう構成した封印部を形成し、封印線を双方の孔に挿通して締め付けることで封印が成された。
一方で、分電盤は充電部を保護すると共に塵等から機器を保護するために、充電部及び組み付けた機器の前面全体を配線覆いで覆う構成が採用されている（例えば、特許文献２参照）。
【先行技術文献】
【特許文献】
【０００３】
【特許文献１】特開平８−３１５７０７号公報
【特許文献２】特開２００１−１４５２１６号公報
【発明の概要】
【発明が解決しようとする課題】
【０００４】
上述したように、回路遮断器を組み付けた分電盤前面は配線覆いで覆われるが、封印部を備えた回路遮断器が組み付けられている場合、封印部は前方（操作ハンドルを配置した方向）に突出した部位を有しているため、配線覆いで覆った際に封印部に当接することで撓みが発生したり、配線覆いから受けるストレスで封印部が破損する場合があった。
【０００５】
そこで、本発明はこのような問題点に鑑み、回路遮断器ハウジングの操作ハンドルを配置した方向に大きな突起が発生しない封印構造を備えた回路遮断器を提供することを目的としている。
【課題を解決するための手段】
【０００６】
上記課題を解決する為に、請求項１の発明は、ハウジングの背面側に電源側の端子部、前面側に負荷側の端子部、そして上面に電路をオン／オフ操作する操作ハンドルを備え、電源側及び負荷側の端子部に端子カバーを装着することで端子部が閉塞されると共に、装着した端子カバーにはハウジングからの取り外し操作を禁止する封印部を備えた回路遮断器であって、電源側の端子部及び負荷側の端子部は、左右方向に隣接配置された複数の端子を有して、隣接する端子間にはハウジングに一体形成された隔壁が立設されて成る一方、端子カバーは、端子部の上方を覆う水平板と、ハウジングの端部で垂下する垂下片とを有して略Ｌ字状を成し、封印部は、隔壁の位置で水平板と垂下片とに跨がって貫通形成された傾斜孔と、傾斜孔に連続するよう隔壁に形成された連通孔とを有して成り、傾斜孔と連通孔の双方に封印線を連続挿通して端子部を封印することを特徴とする。
この構成によれば、封印部を端子カバーに形成した傾斜孔に封印線を挿通する構成としたので、端子カバーから上方に突出する部位が無く、回路遮断器を組み付けた分電盤の前面を配線覆いで覆った際に、封印部により配線覆いが歪んだり撓みが発生するようなここがない。
また、封印線を挿通する孔は傾斜孔であるため、回路遮断器の上方から視認し易く封印操作しやすい。
【０００７】
請求項２の発明は、請求項１に記載の構成において、隔壁は、上方に突出させた突起部を有して、当該突起部の下部に連通孔が形成され、端子カバーの突起部に対応する部位には、突起部を露出させる開口部が形成されて成ることを特徴とする。
この構成によれば、連通孔が隔壁の端部に形成されても、突起部を有することで隔壁端部を堅牢にでき、端子部を確実に封印できる。
【０００８】
請求項３の発明は、請求項１又は２に記載の構成において、電源側の端子部及び負荷側の端子部は、少なくとも３端子が左右方向に隣接配置されて隔壁を少なくとも２つ有し、
封印部は１つの隔壁に設けられ、他の１つの隔壁には、装着した端子カバーを固定する係止部を具備して成ることを特徴とする。
この構成によれば、端子カバーはハウジングに装着した状態で固定できるため、固定するためのネジ止め等の操作が必要ないし、ハウジングに固定した状態で封印操作でき、装着操作、封印操作が容易である。
【０００９】
請求項４の発明は、請求項３に記載の構成において、係止部は、内部に端子カバーを係止するための係止段部を備えた凹部であると共に、端子カバーの水平板には、凹部に挿入した際に係止段部に係止する突起を備えた凸部が設けられ、凸部がＵ字状に折り曲げ形成された弾性体であり、弾性体の先端は、水平板から上方に露出して配置され、当該先端が係止部の係止解除操作を行う操作片であることを特徴とする。
この構成によれば、簡易な操作で端子カバーの係止操作、及び係止解除操作ができる。
【発明の効果】
【００１０】
本発明によれば、封印部を端子カバーに形成した傾斜孔に封印線を挿通する構成としたので、端子カバーから上方に突出する部位が無く、回路遮断器を組み付けた分電盤の前面を配線覆いで覆った際に、封印部により配線覆いが歪んだり撓みが発生するようなここがない。
また、封印線を挿通する孔は傾斜孔であるため、回路遮断器の上方から視認し易く封印操作しやすい。
【図面の簡単な説明】
【００１１】
【図１】本発明に係る回路遮断器の一例を示す斜視図である。
【図２】図１の平面図である。
【図３】回路遮断器の蓋体の斜視図である。
【図４】端子カバーを示し、（ａ）は前面側から見た斜視図、（ｂ）は背面側から見た斜視図である。
【図５】Ａ部拡大図であり、（ａ）は封印した状態、（ｂ）は封印していない状態を示している。
【図６】Ｂ−Ｂ線断面の一部を示し、（ａ）は封印した状態、（ｂ）は封印していない状態を示している。
【図７】Ｃ−Ｃ線断面の一部を示している。
【図８】２端子構造の回路遮断器に適用する端子カバーの背面側から見た斜視図である。
【図９】図８の端子カバーを回路遮断器に装着した状態の係止部付近の縦断面説明図である。
【発明を実施するための形態】
【００１２】
以下、本発明を具体化した実施の形態を、図面を参照して詳細に説明する。図１，２は本発明に係る回路遮断器の一例を示し、図１は斜視図、図２は平面図であり３端子構造の回路遮断器を示している。図において、１は接続された電路を開閉するための操作ハンドル、２は電源側の端子部、３は負荷側の端子部、４は端子カバーであり、双方の端子部２，３は端子カバー４で閉塞された状態を示している。尚、負荷側の端子部３の端子カバー４は、封印線Ｓで封印された状態を示している。
【００１３】
操作ハンドル１は回路遮断器のハウジング１０の上面略中央に配置され、電源側の端子部２はハウジング１０の背面側に設けられ、負荷側の端子部３は前面側に設けられている。双方の端子部２，３は３個のネジ式の端子５を左右方向に列設して構成されている。
そして、６は端子カバー４を封印線Ｓにより封印する封印部、７は端子カバー４をハウジング１０に係止させる係止部である。
【００１４】
図３はハウジング１０上部を構成する蓋体１０ａ単体の斜視図を示している。蓋体１０ａの電源側の端子部２及び負荷側の端子部３に対応する部位の構造は同一の形状であり、中央に設けられた操作ハンドル挿通孔１ａを中心に前後は対称に形成されている。そのため、装着される端子カバー４は、双方の端子部２，３で同一のものが使用可能となっている。尚、図３では手前に電源側の端子部２を配置している。
【００１５】
そして、８は隔壁であり、隣接する端子５の間に起立するように配置され、隣接する端子５は互いに隔離される。ここでは端子部２，３が３端子を有するため、隔壁８はそれぞれ一対設けられている。この隔壁８も、双方の端子部２，３は互いに対称に形成され、更に封印部６の一方を構成するハウジング側封印部８ａ、及び係止部７の一方を構成する係止凹部８ｂも同一の形状で隔壁８を利用して形成されている。
また、端子部２，３の左右側部に配置されて端子部２，３の左右を閉塞する閉塞壁２１を有し、ハウジング１０の側面を形成している。隔壁８はこの左右の閉塞壁２１の間に配置されている。
【００１６】
図４は端子カバー４の斜視図であり、（ａ）は前面側からみた状態、（ｂ）は背面側から見た状態を示しており、端子カバー４は図４に示すように端子部２，３の上方を覆うことで端子５の上方を閉塞する水平板４１と、ハウジング１０前面或いは背面に垂下するように配置される垂下片４２とを有し、略Ｌ字状に形成され、封印部６の他方を構成するカバー側封印部４ａを有している。尚、４１ａは検電プローブを差し込むための窓、４ｂは係止部７の他方を構成する係止凸部である。
【００１７】
以下、封印部６を具体的に説明する。尚、上述したように電源側と負荷側の隔壁８の構造は同一であるため、図３に示す電源側の隔壁８に形成された封印部６の構造を説明する。ハウジング側封印部８ａは、図３に示すように隔壁８の上面から僅かに上方に突出した起立片（突起部）２２を有し、この起立片２２の背部（図示奥側である操作ハンドル１側）には凹部２３が形成され、この凹部２３から図示前方（ハウジング１０の背面側）に掛けて起立片２２を貫通する孔（連通孔）２２ａが図示前方に向けて下り傾斜で形成されている。
【００１８】
一方、カバー側封印部４ａは図４に示すように、蓋体１０ａに形成された起立片２２を露出させるために、水平板４１から垂下片４２に掛けて切り欠いた開口部４３、封印線Ｓを挿通するための傾斜孔４４により構成されている。傾斜孔４４は、開口部４３の背部となる水平板４１から、垂下片４２に掛けて傾斜形成されている。但し、開口部４３が形成されている垂下片４２側は溝４４ａとして形成され、傾斜孔４４全体は直線状に形成されている。
【００１９】
図５は封印部６を拡大したＡ部拡大図であり、（ａ）は図１の状態である封印された状態、（ｂ）は封印してない状態を示している。また図６はＢ−Ｂ線断面図であり、（ａ）は封印された状態、（ｂ）は封印していない状態をそれぞれ示している。図５，６に示すように、傾斜孔４４に封印線Ｓを挿入することで、ハウジング１０と端子カバー４の双方に封印線Ｓが挿通され互いが連結されて封印される。
尚、蓋体１０ａに形成された起立片２２は、先端が隔壁８の上部から突出しているが、図６に示すように端子カバー４を装着した状態では端子カバー４の水平板４１の上面と一致し、端子部２，３の上面は平坦となる。
【００２０】
ここで、図６（ａ）に示すＴは配線覆いを示している。配線覆いＴは、図示しない分電盤内の銅バー等の主電路が配設された充電部や、組み付けられた回路遮断器の端子部２，３の上部（分電盤の前面）を一括して覆う板体であり、回路遮断器に装着された端子カバー４の水平板４１の近傍に平行に配置される。
一方、封印された回路遮断器は、封印線Ｓが水平板４１から上方に突出して配置されるが、図６（ａ）に示すように、端子カバー４の水平板４１から上方に突出するのは封印線Ｓのみであるため僅かであり、配線覆いＴの組み付けに支障をきたすことがない。
【００２１】
このように、封印部６を、端子カバー４に形成した傾斜孔４４に封印線Ｓを挿通する構成としたので、端子カバー４から上方に突出する部位が無く、回路遮断器を組み付けた分電盤の前面を配線覆いＴで覆った際に、封印部６により配線覆いＴが歪んだり撓みが発生するようなことがない。
また、封印線Ｓを挿通する部位は端子カバー４の水平板４１に形成した傾斜孔４４であるため、回路遮断器の上方から視認し易く封印操作しやすい。
更に、隔壁８の端部に連通孔２２ａを形成しても、起立片２２を形成して連通孔２２ａ上部に厚みを設けているため、隔壁端部を堅牢にでき、端子部２，３を確実に封印できる。
尚、図１では、負荷側の端子部２の端子カバー４のみ封印し、電源側の端子部２は封印していないが、電源側の端子部２も同様に封印できる。
【００２２】
次に係止部７を説明する。図７はＣ−Ｃ断面図であり、係止部７の断面を示している。係止凹部８ｂは封印部６のない他方の隔壁８に形成され、図７に示すように矩形の縦穴状に形成されて、その内壁に端子カバー４に形成された係止凸部４ｂを係止する係止段部２５が設けられている。
一方、端子カバー４に形成された係止凸部４ｂは、図４（ｂ）に示すように下方に延設してＵ字状に折り曲げ上方に先端が向けられた弾性片であり、係止凹部８ｂに設けられた係止段部２５に係止する係止突起４６が設けられている。また、上方に向けられた先端部は係止解除操作する操作片４７を構成している。
端子カバー４を端子部２，３の上方から装着操作することで、係止凹部８ｂに係止凸部４ｂが挿入され、係止段部２５に係止突起４６が係止して端子カバー４は保持され固定される。
【００２３】
このように、端子カバー４はハウジング１０に装着した状態で固定できるため、固定するためのネジ止め等の操作が必要ないし、ハウジング１０に固定した状態で封印操作でき、装着操作、封印操作が容易である。また、簡易な操作で端子カバー４の係止操作、及び係止解除操作ができる。
尚、上記実施形態では３端子から成る端子部を備えた回路遮断器を説明したが、４端子構造の回路遮断器に対しても、同様に適用できる。
【００２４】
一方、２端子構造の回路遮断器の場合は、上記封印構造（封印部６）に関しては無理なく適用できるが、上記係止部７を適用する隔壁８は無くなるため、例えば図８，９に示すような係止構造とすることで端子カバーを固定できる。
図８は２端子構造の回路遮断器に適用する端子カバー４の背面側から見た斜視図、図９はその端子カバー４を回路遮断器に装着した状態の係止部付近の縦断面説明図を示し、カバー封印部４ａに隣接する部位に、隔壁段部８ｃ（図３に示す）に係止する爪状の突起片４８を設けて係止部７を構成している。尚、上記図４に示す端子カバー４と共通する構成要素には同一の符号を付与してある。
【符号の説明】
【００２５】
１・・操作ハンドル、２・・電源側の端子部、３・・負荷側の端子部、４・・端子カバー、４ａ・・カバー側封印部、４ｂ・・係止凸部（凸部）、５・端子、６・・封印部、７・・係止部、８・・隔壁、８ａ・・ハウジング側封印部、８ｂ・・係止凹部（凹部）、８ｃ・・隔壁段部、１０・・ハウジング、１０ａ・・蓋体、２２・・起立片（突起部）、２２ａ・・連通孔、２５・・係止段部、４１・・水平板、４２・・垂下片、４３・・開口部、４４・・傾斜孔、４６・・係止突起（突起）、４７・・操作片、４８・・突起片、Ｓ・・封止線、Ｔ・・配線覆い。
【図１】
0006710109.tif 000002
【図２】
0006710109.tif 000003
【図３】
0006710109.tif 000004
【図４】
0006710109.tif 000005
【図５】
0006710109.tif 000006
【図６】
0006710109.tif 000007
【図７】
0006710109.tif 000008
【図８】
0006710109.tif 000009
【図９】
0006710109.tif 000010